(57)【特許請求の範囲】
【請求項１】
第１透明電極を有する第１基板部と、
前記第１透明電極に対向する第２透明電極を有する第２基板部と、
前記第１透明電極と前記第２透明電極との間に設けられた第１液晶層と、
を含む第１シャッタ部と、
前記第１シャッタ部に電圧を供給する駆動部と、
を備え、
前記駆動部は、
前記第１シャッタ部を、透光状態と、前記透光状態の透過率よりも透過率が低い遮光状態と、のいずれか一方にさせる第１電圧と、
前記第１シャッタ部を、前記透光状態及び前記遮光状態のいずれか他方にさせる第２電圧と、
を前記第１シャッタ部に交互に供給し、
前記駆動部は、前記第１電圧を供給する複数の第１電圧期間のうちで、前記第２電圧を供給する第２電圧期間を挟んで連続する複数の前記第１電圧期間において、前記第１電圧を第１極性に設定する第１制御期間を有し、
前記駆動部は、前記第１制御期間の後に、
前記第１電圧を供給する複数の第１電圧期間のうちで、前記第２電圧を供給する第２電圧期間を挟んで連続する複数の前記第１電圧期間において、前記第１電圧を前記第１極性とは逆の第２極性に設定する第２制御期間を有することを特徴とするシャッタメガネ。
【請求項２】
前記第１制御期間は、前記駆動部がオン状態になってから前記駆動部がオフ状態になるまでの期間であり、
前記駆動部は、前記第１制御期間の後で、前記駆動部が別のオン状態になったときに、前記第１電圧を供給する複数の第１電圧期間のうちで、前記第２電圧を供給する前記第２電圧期間を挟んで連続する複数の前記第１電圧期間において、前記第１電圧を前記第１極性とは逆の第２極性に設定する第２制御期間を有することを特徴とする請求項１記載のシャッタメガネ。
【請求項３】
第１透明電極を有する第１基板部と、
前記第１透明電極に対向する第２透明電極を有する第２基板部と、
前記第１透明電極と前記第２透明電極との間に設けられた第１液晶層と、
を含む第１シャッタ部と、
前記第１シャッタ部に電圧を供給する駆動部と、
を備え、
前記駆動部は、
前記第１シャッタ部を、透光状態と、前記透光状態の透過率よりも透過率が低い遮光状態と、のいずれか一方にさせる第１電圧と、
前記第１シャッタ部を、前記透光状態及び前記遮光状態のいずれか他方にさせる第２電圧と、
を前記第１シャッタ部に交互に供給し、
前記駆動部は、前記第１電圧を供給する複数の第１電圧期間のうちで、前記第２電圧を供給する第２電圧期間を挟んで連続する複数の前記第１電圧期間において、前記第１電圧を第１極性に設定する第１制御期間を有し、
前記第１制御期間は、前記駆動部がオン状態になってから前記駆動部がオフ状態になるまでの期間であり、
前記駆動部は、前記第１制御期間の後で、前記駆動部が別のオン状態になったときに、前記第１電圧を供給する複数の第１電圧期間のうちで、前記第２電圧を供給する前記第２電圧期間を挟んで連続する複数の前記第１電圧期間において、前記第１電圧を前記第１極性とは逆の第２極性に設定する第２制御期間を有することを特徴とするシャッタメガネ。
【請求項４】
前記駆動部は、前記第１制御期間の後に、前記第１極性とは逆の第２極性の逆極性電圧を前記第１シャッタ部に供給することを特徴とする請求項１〜３のいずれか１つに記載のシャッタメガネ。
【請求項５】
第１透明電極を有する第１基板部と、
前記第１透明電極に対向する第２透明電極を有する第２基板部と、
前記第１透明電極と前記第２透明電極との間に設けられた第１液晶層と、
を含む第１シャッタ部と、
前記第１シャッタ部に電圧を供給する駆動部と、
を備え、
前記駆動部は、
前記第１シャッタ部を、透光状態と、前記透光状態の透過率よりも透過率が低い遮光状態と、のいずれか一方にさせる第１電圧と、
前記第１シャッタ部を、前記透光状態及び前記遮光状態のいずれか他方にさせる第２電圧と、
を前記第１シャッタ部に交互に供給し、
前記駆動部は、前記第１電圧を供給する複数の第１電圧期間のうちで、前記第２電圧を供給する第２電圧期間を挟んで連続する複数の前記第１電圧期間において、前記第１電圧を第１極性に設定する第１制御期間を有し、
前記駆動部は、前記第１制御期間の後に、前記第１極性とは逆の第２極性の逆極性電圧を前記第１シャッタ部に供給することを特徴とするシャッタメガネ。
【請求項６】
前記第１液晶層の液晶配列は、前記第１透明電極と前記第２透明電極との間の電位差が第１初期電圧に設定されたときにスプレイ配列であり、前記第１電位差が前記第１初期電圧よりも実効値が大きい第２初期電圧に設定されたときにベンド配列へ転移し、
前記第１シャッタ部の前記透光状態は、前記ベンド配列うちの１つの第１ベンド配列状態であり、前記第１シャッタ部の前記遮光状態は、前記ベンド配列のうちの前記第１ベンド配列状態とは異なる第２ベンド配列状態であることを特徴とする請求項１〜５のいずれか１つに記載のシャッタメガネ。
【請求項７】
第１透明電極を有する第１基板部と、
前記第１透明電極に対向する第２透明電極を有する第２基板部と、
前記第１透明電極と前記第２透明電極との間に設けられた第１液晶層と、
を含む第１シャッタ部と、
前記第１シャッタ部に電圧を供給する駆動部と、
を備え、
前記駆動部は、
前記第１シャッタ部を、透光状態と、前記透光状態の透過率よりも透過率が低い遮光状態と、のいずれか一方にさせる第１電圧と、
前記第１シャッタ部を、前記透光状態及び前記遮光状態のいずれか他方にさせる第２電圧と、
を前記第１シャッタ部に交互に供給し、
前記駆動部は、前記第１電圧を供給する複数の第１電圧期間のうちで、前記第２電圧を供給する第２電圧期間を挟んで連続する複数の前記第１電圧期間において、前記第１電圧を第１極性に設定する第１制御期間を有し、
前記第１液晶層の液晶配列は、前記第１透明電極と前記第２透明電極との間の電位差が第１初期電圧に設定されたときにスプレイ配列であり、前記第１電位差が前記第１初期電圧よりも実効値が大きい第２初期電圧に設定されたときにベンド配列へ転移し、
前記第１シャッタ部の前記透光状態は、前記ベンド配列うちの１つの第１ベンド配列状態であり、前記第１シャッタ部の前記遮光状態は、前記ベンド配列のうちの前記第１ベンド配列状態とは異なる第２ベンド配列状態であることを特徴とするシャッタメガネ。
【発明の詳細な説明】
【技術分野】
【０００１】
本発明の実施形態は、シャッタメガネに関する。
【背景技術】
【０００２】
娯楽、教育、放送、医療などの分野において、立体視システムの実用化が進んでいる。立体視システムにおいては、例えば、左右眼の視差に対応した左眼用像と右眼用像とが、左右眼にそれぞれ時分割で呈示される。このための高速応答のシャッタメガネに、液晶が用いられる。  
シャッタメガネにおいて、より見易く疲労の少ないことが望まれる。
【先行技術文献】
【特許文献】
【０００３】
【特許文献１】特開平０８−３２７９６１号公報
【発明の概要】
【発明が解決しようとする課題】
【０００４】
本発明の実施形態は、見易いシャッタメガネを提供する。
【課題を解決するための手段】
【０００５】
本発明の実施形態によれば、第１シャッタ部と、駆動部と、を備えたシャッタメガネが提供される。前記第１シャッタ部は、第１透明電極を有する第１基板部と、前記第１透明電極に対向する第２透明電極を有する第２基板部と、前記第１透明電極と前記第２透明電極との間に設けられた第１液晶層と、を含む。前記駆動部は、前記第１シャッタ部に電圧を供給する。前記駆動部は、前記第１シャッタ部を、透光状態と、前記透光状態の透過率よりも透過率が低い遮光状態と、のいずれか一方にさせる第１電圧と、前記第１シャッタ部を、前記透光状態及び前記遮光状態のいずれか他方にさせる第２電圧と、を前記第１シャッタ部に交互に供給する。前記駆動部は、前記第１電圧を供給する複数の第１電圧期間のうちで、前記第２電圧を供給する第２電圧期間を挟んで連続する複数の前記第１電圧期間において、前記第１電圧を第１極性に設定する第１制御期間を有する。前記駆動部は、前記第１制御期間の後に、前記第１電圧を供給する複数の第１電圧期間のうちで、前記第２電圧を供給する第２電圧期間を挟んで連続する複数の前記第１電圧期間において、前記第１電圧を前記第１極性とは逆の第２極性に設定する第２制御期間を有する。
本発明の別の実施形態によれば、第１シャッタ部と、駆動部と、を備えたシャッタメガネが提供される。前記第１シャッタ部は、第１透明電極を有する第１基板部と、前記第１透明電極に対向する第２透明電極を有する第２基板部と、前記第１透明電極と前記第２透明電極との間に設けられた第１液晶層と、を含む。前記駆動部は、前記第１シャッタ部に電圧を供給する。前記駆動部は、前記第１シャッタ部を、透光状態と、前記透光状態の透過率よりも透過率が低い遮光状態と、のいずれか一方にさせる第１電圧と、前記第１シャッタ部を、前記透光状態及び前記遮光状態のいずれか他方にさせる第２電圧と、を前記第１シャッタ部に交互に供給する。前記駆動部は、前記第１電圧を供給する複数の第１電圧期間のうちで、前記第２電圧を供給する第２電圧期間を挟んで連続する複数の前記第１電圧期間において、前記第１電圧を第１極性に設定する第１制御期間を有する。前記第１制御期間は、前記駆動部がオン状態になってから前記駆動部がオフ状態になるまでの期間であり、前記駆動部は、前記第１制御期間の後で、前記駆動部が別のオン状態になったときに、前記第１電圧を供給する複数の第１電圧期間のうちで、前記第２電圧を供給する前記第２電圧期間を挟んで連続する複数の前記第１電圧期間において、前記第１電圧を前記第１極性とは逆の第２極性に設定する第２制御期間を有する。
本発明の別の実施形態によれば、第１シャッタ部と、駆動部と、を備えたシャッタメガネが提供される。前記第１シャッタ部は、第１透明電極を有する第１基板部と、前記第１透明電極に対向する第２透明電極を有する第２基板部と、前記第１透明電極と前記第２透明電極との間に設けられた第１液晶層と、を含む。前記駆動部は、前記第１シャッタ部に電圧を供給する。前記駆動部は、前記第１シャッタ部を、透光状態と、前記透光状態の透過率よりも透過率が低い遮光状態と、のいずれか一方にさせる第１電圧と、前記第１シャッタ部を、前記透光状態及び前記遮光状態のいずれか他方にさせる第２電圧と、を前記第１シャッタ部に交互に供給する。前記駆動部は、前記第１電圧を供給する複数の第１電圧期間のうちで、前記第２電圧を供給する第２電圧期間を挟んで連続する複数の前記第１電圧期間において、前記第１電圧を第１極性に設定する第１制御期間を有する。前記駆動部は、前記第１制御期間の後に、前記第１極性とは逆の第２極性の逆極性電圧を前記第１シャッタ部に供給する。
本発明の別の実施形態によれば、第１シャッタ部と、駆動部と、を備えたシャッタメガネが提供される。前記第１シャッタ部は、第１透明電極を有する第１基板部と、前記第１透明電極に対向する第２透明電極を有する第２基板部と、前記第１透明電極と前記第２透明電極との間に設けられた第１液晶層と、を含む。前記駆動部は、前記第１シャッタ部に電圧を供給する。前記駆動部は、前記第１シャッタ部を、透光状態と、前記透光状態の透過率よりも透過率が低い遮光状態と、のいずれか一方にさせる第１電圧と、前記第１シャッタ部を、前記透光状態及び前記遮光状態のいずれか他方にさせる第２電圧と、を前記第１シャッタ部に交互に供給する。前記駆動部は、前記第１電圧を供給する複数の第１電圧期間のうちで、前記第２電圧を供給する第２電圧期間を挟んで連続する複数の前記第１電圧期間において、前記第１電圧を第１極性に設定する第１制御期間を有する。前記第１液晶層の液晶配列は、前記第１透明電極と前記第２透明電極との間の電位差が第１初期電圧に設定されたときにスプレイ配列であり、前記第１電位差が前記第１初期電圧よりも実効値が大きい第２初期電圧に設定されたときにベンド配列へ転移し、前記第１シャッタ部の前記透光状態は、前記ベンド配列うちの１つの第１ベンド配列状態であり、前記第１シャッタ部の前記遮光状態は、前記ベンド配列のうちの前記第１ベンド配列状態とは異なる第２ベンド配列状態である。
【図面の簡単な説明】
【０００６】
【図１】図１（ａ）〜図１（ｄ）は、第１の実施形態に係るシャッタメガネの動作を例示する模式図である。
【図２】第１の実施形態に係るシャッタメガネが用いられる表示システムの構成を例示する模式図である。
【図３】第１の実施形態に係るシャッタメガネの構成を例示する模式図である。
【図４】第１の実施形態に係るシャッタメガネの構成を例示する模式的断面図である。
【図５】図５（ａ）〜図５（ｄ）は、第１の実施形態に係るシャッタメガネの動作を例示する模式的断面図である。
【図６】図６（ａ）〜図６（ｄ）は、参考例のシャッタメガネの動作を例示する模式図である。
【図７】図７（ａ）〜図７（ｄ）は、第１の実施形態に係る別のシャッタメガネの動作を例示する模式図である。
【図８】図８（ａ）及び図８（ｂ）は、第１の実施形態に係る別のシャッタメガネの動作を例示する模式図である。
【図９】第１の実施形態に係る別のシャッタメガネの構成を例示する模式的斜視図である。
【図１０】第１の実施形態に係る別のシャッタメガネの構成を例示する模式的斜視図である。
【発明を実施するための形態】
【０００７】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施の形態）
図１（ａ）〜図１（ｄ）は、第１の実施形態に係るシャッタメガネの動作を例示する模式図である。  
図２は、第１の実施形態に係るシャッタメガネが用いられる表示システムの構成を例示する模式図である。  
まず、図２により、実施形態に係るシャッタメガネが用いられる立体視が可能な表示システムの例について説明する。
【０００９】
図２に表したように、表示システム１１は、ディスプレイ１３（表示部）と、シャッタメガネ１２と、を備える。表示システム１１は、３次元表示モードを有している。３次元表示モードにおいては、視差に対応する左眼用像と右眼用像とが表示される。この左眼用像と右眼用像とを、観視者が３次元映像として観視する。なお、表示システム１１は、２次元表示モードを有していても良い。２次元表示モードにおいては、ディスプレイ１３に表示された像を、観視者が２次元映像として観視する。以下、３次元表示モードについて説明する。
【００１０】
ディスプレイ１３は、表示面１３ｄを有する。この表示面１３ｄに、左眼用像と右眼用像とに対応した画像が交互に切り替えて表示される。例えば、ディスプレイ１３には、例えば、アクティブマトリクス型液晶ディスプレイが用いられる。このディスプレイには任意の動作モードが適用できる。ディスプレイには、例えばＯＣＢ（Optically Compensated Bend）モードが適用できる。ディスプレイ１３は、マトリクス状に配置された複数の画素を有する。例えば、デジタル信号処理により、例えばフィールド周波数を１２０Ｈｚに変換して、表示が行われる。
【００１１】
シャッタメガネ１２は、第１シャッタ部１０１と、第２シャッタ部１０２と、駆動部１０３と、を備える。第１シャッタ部１０１及び第２シャッタ部１０２のそれぞれは、観視者の左眼及び右眼にそれぞれ対向して配置される。観視者は、第１シャッタ部１０１及び第２シャッタ部１０２を介して、ディスプレイ１３の表示像を観視する。シャッタメガネ１２においては、時分割シャッタ動作が行われる。ディスプレイ１３の表示に同期して、第１シャッタ部１０１及び第２シャッタ部１０２が交互に透光状態及び遮光状態となる。遮光状態の透過率は、透光状態の透過率よりも低い。
【００１２】
なお、第１シャッタ部１０１及び第２シャッタ部１０２は、相互に別体として設けられても良い。また、第１シャッタ部１０１及び第２シャッタ部１０２は一体的に連続していても良い。例えば、１つの基板の上に、２つの電極が設けられ、２つの電極のそれぞれが、第１シャッタ部１０１または第２シャッタ部１０２のそれぞれに含まれても良い。
【００１３】
例えば、ディスプレイ１３は、左眼及び右眼に対応した画像をフィールドごとに交互に切り替えて表示する。この時、ディスプレイ１３に左眼用画像が表示されている期間においては、左眼用のシャッタ部が透光状態とされ、右眼用のシャッタ部が遮光状態とされる。そして、ディスプレイ１３に右眼用画像が表示されている期間において、右眼用のシャッタ部が透光状態とされ、左眼用のシャッタ部が遮光状態とされる。
【００１４】
例えば、表示システム１１は、制御部１４をさらに有することができる。シャッタ部の動作は、例えば、制御部１４によって行われる。ただし、制御部１４の機能は、ディスプレイ１３及びシャッタメガネ１２のいずれかに含まれても良い。制御部１４とディスプレイ１３との間の信号の授受、制御部１４とシャッタメガネ１２との間の信号の授受、及び、ディスプレイ１３とシャッタメガネ１２との間の信号の授受は、有線または無線の方式によって行われる。
【００１５】
表示システム１１においては、左眼用画像を左眼で観視し、右眼用画像を右眼で観視することで、立体的な映像を知覚できる。
【００１６】
図３は、第１の実施形態に係るシャッタメガネの構成を例示する模式図である。  
図３に表したように、実施形態に係るシャッタメガネ１２は、第１シャッタ部１０１と、第２シャッタ部１０２と、駆動部１０３と、を備える。
【００１７】
第１シャッタ部１０１は、第１基板部１１０ａと、第２基板部１２０ａと、第１液晶層１３０ａと、を含む。第１基板部１１０ａは、第１透明電極１１２ａを有する。第２基板部１２０ａは、第２透明電極１２２ａを有する。第２透明電極１２２ａは、第１透明電極１１２ａに対向する。第１液晶層１３０ａは、第１透明電極１１２ａと第２透明電極１２２ａとの間に設けられる。
【００１８】
第２シャッタ部１０２は、第１シャッタ部１０１と並置される。第２シャッタ部１０２は、第３基板部１１０ｂと、第４基板部１２０ｂと、第２液晶層１３０ｂと、を含む。第３基板部１１０ｂは、第２透明電極１１２ｂを有する。第４基板部１２０ｂは、第４透明電極１２２ｂを有する。第４透明電極１２２ｂは、第３透明電極１１２ｂに対向する。第２液晶層１３０ｂは、第３透明電極１１２ｂと第４透明電極１２２ｂとの間に設けられる。
【００１９】
駆動部１０３は、第１シャッタ部１０１及び第２シャッタ部１０２に電圧を供給する。駆動部１０３は、第１透明電極１１２ａ、第２透明電極１２２ａ、第３透明電極１１２ｂ及び第４透明電極１２２ｂに電気的に接続される。
【００２０】
第２シャッタ部１０２の構成は、第１シャッタ部１０１の構成と同様とすることができる。以下では、第１シャッタ部１０１の構成の例について説明する。
【００２１】
図４は、第１の実施形態に係るシャッタメガネの構成を例示する模式的断面図である。  図４に表したように、第１基板部１１０ａは、第１透明電極１１２ａに加え、第１支持基板１１１ａと、第１配向膜１１３ａと、をさらに含む。第１支持基板１１１ａの上に第１透明電極１１２ａが設けられる。第１透明電極１１２ａの上に第１配向膜１１３ａが設けられる。
【００２２】
第２基板部１２０ａは、第２透明電極１２２ａに加え、第２支持基板１２１ａと、第２配向膜１２３ａと、をさらに含む。第２支持基板１２１ａの上に第２透明電極１２２ａが設けられる。第２透明電極１２２ａの上に第２配向膜１２３ａが設けられる。
【００２３】
なお、第１透明電極１１２ａと第２透明電極１２２ａとの間隔（第１配向膜１１３ａと第２配向膜１２３ａとの間の間隔）を制御するスペーサ（図示しない）を設けても良い。スペーサとしては、例えば、第１基板部１１０ａ（例えば第１透明電極１１２ａの上）に設けられた柱状スペーサを用いることができる。柱状スペーサは第２基板部１２０ａに設けられても良い。また、柱状スペーサは、第１基板部１１０ａ及び第１基板部１２０ａの両方に設けられても良い。
【００２４】
第１シャッタ部１０１は、第１偏光板１６０ａと、第１光学補償板１４０ａと、第２偏光板１７０ａと、第２光学補償板１５０ａと、をさらに含むことができる。第１偏光板１６０ａと第２偏光板１７０ａとの間に第１基板部１１０ａ及び第２基板部１２０ａが配置される。第１偏光板１６０ａと第２基板部１２０ａとの間に第１基板部１１０ａが配置される。第２偏光板１７０ａと第１基板部１１０ａとの間に第２基板部１２０ａが配置される。第１偏光板１６０ａと第１基板部１１０ａとの間に第１光学補償板１４０ａが配置される。第２偏光板１７０ａと第２基板部１２０ａとの間に第２光学補償板１５０ａが配置される。
【００２５】
第１シャッタ部１０１は、第１シール部１８０ａをさらに含む。第１シール部１８０ａは、第１基板部１１０ａと第２基板部１２０ａとの間において第１液晶層１３０ａを囲む。
【００２６】
第１基板部１１０ａから第１基板部１２０ａに向かう方向をＺ軸方向とする。Ｚ軸に対して垂直な１つの軸をＸ軸とする。Ｚ軸とＸ軸とに対して垂直な軸をＹ軸とする。
【００２７】
第１支持基板１１１ａ及び第２支持基板１２１ａは、透光性である。第１支持基板１１１ａ及び第２支持基板１２１ａには、例えばガラスや樹脂などが用いられる。
【００２８】
第１透明電極１１２ａ及び第２透明電極１２２ａには、シャッタメガネ１２において透光及び遮光の動作の対象となる光に対して透光性の導電材料が用いられる。すなわち、第１透明電極１１２ａ及び第２透明電極１２２ａは、可視光に対して透光性である。第１透明電極１１２ａ及び第２透明電極１２２ａには、例えばＩＴＯ（Indium Tin Oxide）やＺｎＯなどを用いることができる。
【００２９】
第１配向膜１１３ａ及び第２配向膜１２３ａには、例えばポリイミドを用いることができる。このポリイミド膜には、例えばラビング処理が施される。第１配向膜１１３ａのラビング処理の方向は、第２配向膜１２３ａにおけるラビング処理の方向と、実質的に平行である。第１配向膜１１３ａのラビング処理の方向は、第２配向膜１２３ａにおけるラビング処理の方向と、実質的に同じ向きである。
【００３０】
第１液晶層１３０ａにはネマティック液晶が用いられる。第１配向膜１１３ａ及び第２配向膜１２３ａの機能により、第１基板部１１０ａ及び第２基板部１２０ａの近傍における第１液晶層１３０ａの液晶分子は高いプレチルト角を有する。これにより、第１液晶層１３０ａは、初期状態（電圧が印加されない状態）においてスプレイ配列状態である。電圧印加状態で、ベンド配列状態に転移する。第１シャッタ部１０１は、ＯＣＢモードで動作する。
【００３１】
第１光学補償板１４０ａ及び第２光学補償板１５０ａには、例えば、ディスコティック液晶化合物をハイブリッド配向させた光学異方性層を含む二軸性のフィルム等を用いることができる。
【００３２】
ただし、第１シャッタ部１０１（及び第２シャッタ部１０２）の構成は任意である。例えば、第１液晶層１３０ａは、ＯＣＢモード以外のモードで動作しても良い。以下では、第１液晶層１３０ａがＯＣＢモードで動作する場合の例について説明する。
【００３３】
図５（ａ）〜図５（ｄ）は、第１の実施形態に係るシャッタメガネの動作を例示する模式的断面図である。  
これらの図において、第１配向膜１１３ａ及び第２配向膜１２３ａは省略されている。
【００３４】
図５（ａ）は、第１初期電圧Ｖ１１を印加した時の状態を例示している。第１初期電圧Ｖ１１は、第１液晶層１３０ａにおける液晶配列がスプレイ配列からベンド配列に転移するしきい値未満の電圧である。第１初期電圧Ｖ１１は、例えば、０ボルト（Ｖ）である。すなわち、図５（ａ）は、電源オフ時の状態を例示している。
【００３５】
図５（ｂ）は、第２初期電圧Ｖ１２を印加した時の状態を例示している。第２初期電圧Ｖ１２は、第１液晶層１３０ａにおける液晶配列がスプレイ配列からベンド配列に転移するしきい値以上の電圧である。第２初期電圧Ｖ１２の実効値は、第１初期電圧Ｖ１１の実効値よりも大きい。すなわち、図５（ｂ）は、初期化処理後の状態を例示している。
【００３６】
図５（ｃ）は、初期化処理後のベンド配列状態において、第１ベンド電圧ＶＢ１を印加した時の状態を例示している。図５（ｄ）は、初期化処理後のベンド配列状態において、第２ベンド電圧ＶＢ２を印加した時の状態を例示している。第２ベンド電圧ＶＢ２の実効値は、第１ベンド電圧ＶＢ１の実効値よりも大きい。
【００３７】
図５（ａ）に表したように、電源オフ時において、第１液晶層１３０ａの液晶分子１３０ｌの配列は、スプレイ配列状態である。
【００３８】
そして、シャッタメガネ１２において、電源を投入し、初期化処理が行われる。初期化処理においては、所定の転移電圧（ベンド配列に転移させる第２初期電圧Ｖ１２）を第１液晶層１３０ａに印加する。
【００３９】
これにより、図５（ｂ）に表したように、第１液晶層１３０ａの配列状態が、スプレイ配列からベンド配列に転移する。
【００４０】
第１初期電圧Ｖ１１は、例えば０Ｖである。  
第２初期電圧Ｖ１２は、実効値が比較的大きい電圧が用いられる。これにより、スプレイ配列からベンド配列に速やかに転移させることができる。
【００４１】
第２初期電圧Ｖ１２の絶対値（例えば実効値）は、例えば、１０Ｖ〜３０Ｖである。ただし、第２初期電圧Ｖ１２の値は、しきい値電圧以上であれば任意である。第２初期電圧Ｖ１２の実効値が大きいと、スプレイ配列からベンド配列へ速やかに転移する。例えば、第２初期電圧Ｖ１２には、例えば、＋１５Ｖで数百ミリ秒（ｍｓ）程度の正極性パルスと、−１５Ｖで数百ミリ秒程度の負極性パルスと、の組み合わせ、を用いることができる。このような第２初期電圧Ｖ１２の印加によって第１液晶層１３０ａは、スプレイ配列からベンド配列に転移する。
【００４２】
上記の駆動部１０３は、スプレイ配列からベンド配列への前記転移のための第２初期電圧Ｖ１２を第１透明電極１１２ａ及び第２透明電極１２２ａに供給することができる。
【００４３】
このように、初期化処理が行われた後に、図５（ｃ）及び図５（ｄ）に表した動作が行われる。すなわち、ベンド配列状態において、例えば第１ベンド電圧ＶＢ１を印加した状態（図５（ｂ）の状態）と、例えば第２ベンド電圧ＶＢ２を印加した状態（図５（ｃ）の状態）と、のスイッチングが行われる。
【００４４】
シャッタメガネ１２の動作中は、第１液晶層１３０ａの液晶分子１３０ｌの配向状態はベンド配列に維持される。そして、このベンド配列の液晶分子１３０ｌに印加される電圧を変化させると配列状態が変化する。この配列状態の変化に対応して、第１液晶層１３０ａのリタデーションが変化する。第１偏光板１６０ａ及び第２偏光板１７０ａを用いることで、このリタデーションの変化に応じた透光状態及び遮光状態が得られる。
【００４５】
例えば、第１ベンド電圧ＶＢ１を印加した時に、第１シャッタ部１０１は透光状態となり、第２ベンド電圧ＶＢ２を印加した時に第１シャッタ部１０１は遮光状態となる。または、第１ベンド電圧ＶＢ１を印加した時に遮光状態となり、第２ベンド電圧ＶＢ２を印加した時に透光状態としても良い。
【００４６】
このように、第１シャッタ部１０１の透光状態は、ベンド配列うちの１つの第１ベンド配列状態であり、第１シャッタ部１０１の遮光状態は、ベンド配列のうちの第１ベンド配列状態とは異なる第２ベンド配列状態である。
【００４７】
シャッタメガネ１２においては、第１シャッタ部１０１と第２シャッタ部１０２とは、交互に透光状態と遮光状態とを繰り返す。例えば、第１シャッタ部１０１は、奇数フィールドでは遮光状態であり、偶数フィールドでは透光状態である。一方、第２シャッタ部１０２は、奇数フィールドでは透光状態であり、偶数フィールドでは遮光状態である。
【００４８】
第１シャッタ部１０１及び第２シャッタ部１０２におけるこのような動作は、駆動部１０３によって行われる。
【００４９】
図１（ａ）は、駆動部１０３から第１シャッタ部１０１に供給される電圧Ｖｃ１を例示している。図１（ｂ）は、駆動部１０３から第２シャッタ部１０２に供給される電圧Ｖｃ２を例示している。図１（ｃ）は、第１シャッタ部１０１の透過率Ｔｒ０１を例示している。図１（ｄ）は、第２シャッタ部１０２の透過率Ｔｒ０２を例示している。これらの図の横軸は、時間ｔである。
【００５０】
図１（ａ）に表したように、駆動部１０３は、第１電圧Ｖ１と第２電圧Ｖ２とを第１シャッタ部１０１に交互に供給する。
【００５１】
第１電圧Ｖ１は、第１シャッタ部１０１を、透光状態と、透光状態の透過率よりも透過率が低い遮光状態と、のいずれか一方にさせる電圧である。第２電圧Ｖ２は、第１シャッタ部１０１を、透光状態及び遮光状態のいずれか他方にさせる電圧である。
【００５２】
以下では、第１電圧Ｖ１が、第１シャッタ部１０１を透光状態にさせる電圧であり、第２電圧Ｖ２が、第１シャッタ部１０１を遮光状態にさせる電圧である場合として説明する。
【００５３】
駆動部１０３は、第１電圧Ｖ１を供給する複数の第１電圧期間Ｔ１のうちで、第２電圧Ｖ２を供給する第２電圧期間Ｔ２を挟んで連続する複数の第１電圧期間Ｔ１において、第１電圧Ｖ１を第１極性に設定する。
【００５４】
すなわち、駆動部１０３は、第１制御期間ＴＴ１を有する。第１制御期間ＴＴ１においては、駆動部１０３は、第１電圧Ｖ１を供給する複数の第１電圧期間Ｔ１のうちで、第２電圧Ｖ２を供給する第２電圧期間Ｔ２を挟んで連続する複数の第１電圧期間Ｔ１において、第１電圧Ｖ１を第１極性に設定する。
【００５５】
駆動部１０３は、第１電圧Ｖ１を供給する複数の第１電圧期間Ｔ１と、第２電圧Ｖ２を供給する第２電圧期間Ｔ２と、を含む第１制御期間ＴＴ１において、第１極性の第１電圧Ｖ１を第１シャッタ部１０２に供給する。
【００５６】
図１（ｂ）に表したように、駆動部１０３は、第３電圧Ｖ３と第４電圧Ｖ４とを第２シャッタ部１０２に交互に供給する。
【００５７】
第３電圧Ｖ３は、第２シャッタ部１０２を、透光状態と、透光状態の透過率よりも透過率が低い遮光状態と、のいずれか一方にさせる電圧である。第４電圧Ｖ４は、第２シャッタ部１０２を、透光状態及び遮光状態のいずれか他方にさせる電圧である。
【００５８】
以下では、第３電圧Ｖ３が、第２シャッタ部１０２を透光状態にさせる電圧であり、第４電圧Ｖ４が、第２シャッタ部１０２を遮光状態にさせる電圧である場合として説明する。
【００５９】
駆動部１０３は、第１シャッタ部１０１が透光状態であるときは、第２シャッタ部１０２を遮光状態にする。駆動部１０３は、第１シャッタ部１０１が遮光状態であるときは、第２シャッタ部１０２を透光状態にする。
【００６０】
例えば、駆動部１０３は、第１シャッタ部１０１に第１電圧Ｖ１を供給しているときは、第２シャッタ部１０２に第４電圧Ｖ４を供給する。駆動部１０３は、第１シャッタ部１０１に第２電圧Ｖ２を供給しているときは、第２シャッタ部１０２に第３電圧Ｖ３を供給する。
【００６１】
第３電圧Ｖ３の値は、第１電圧Ｖ１の値と同じでも良く、異なっても良い。第４電圧Ｖ４の値は、第２電圧Ｖ２の値と同じでも良く、異なっても良い。
【００６２】
駆動部１０３は、第３電圧Ｖ３を供給する複数の第３電圧期間Ｔ３のうちで、第４電圧Ｖ４を供給する第４電圧期間Ｔ４を挟んで連続する複数の前記第３電圧期間Ｔ３において、第３電圧Ｖ３を第１極性及び第１極性とは反対の第２極性のいずれかに設定する。
【００６３】
すなわち、駆動部１０３は、第３制御期間ＴＴ３を有する。第３制御期間ＴＴ３においては、駆動部１０３は、第３電圧Ｖ３を供給する複数の第３電圧期間Ｔ３のうちで、第４電圧Ｖ４を供給する第４電圧期間Ｔ４を挟んで連続する複数の第３電圧期間Ｔ３において、第３電圧Ｖ３を第１極性及び第２極性のいずれかに設定する。
【００６４】
駆動部１０３は、第３電圧Ｖ３を供給する複数の第３電圧期間Ｔ３と、第４電圧Ｖ４を供給する第４電圧期間Ｔ４と、を含む期間（第３制御期間ＴＴ３）において、第１極性及び第２極性のいずれかの第３電圧Ｖ３を第２シャッタ部１０２にさらに供給する。  
第３制御期間ＴＴ３は、第１制御期間ＴＴ１と同じでも良く、異なっても良い。
【００６５】
図１（ｂ）に示した例では、第３制御期間ＴＴ３において、第３電圧Ｖ３は、第１極性（第１電圧Ｖ１と同じ極性）とされている。ただし、第３制御期間ＴＴ３において、第３電圧Ｖ３は、第２極性（第１電圧Ｖ１とは逆の極性）とされても良い。
【００６６】
第１極性は、例えば正極性である。実施形態において、第１極性を負極性としても良い。第１極性は、例えば第１透明電極１１２ａを基準としたときの第２透明電極１２２ａの電位として定義される。第１極性が正極性である場合、第１透明電極１１２ａから第２透明電極１２２ａに向けて電子が移動する。以下では、第１極性が正極性である場合として説明する。
【００６７】
第１制御期間ＴＴ１と第３制御期間ＴＴ３とは、異なる期間でも良い。  
第１電圧Ｖ１及び第３電圧Ｖ３の絶対値は、例えば、透過光の色補正を考慮し、０ボルト（Ｖ）よりも大きく、例えば１Ｖ以上２Ｖ以下程度である。第２電圧Ｖ２及び第４電圧Ｖ４の絶対値は、例えば、３Ｖ以上６Ｖ以下程度である。
【００６８】
図１（ｃ）に表したように、この例では、第１シャッタ部１０１の透過率Ｔｒ０１は、第１電圧期間Ｔ１のときに第１透過率Ｔｒ１となる。第１シャッタ部１０１の透過率Ｔｒ０１は、第２電圧期間Ｔ２のときに第２透過率Ｔｒ２となる。第１透過率Ｔｒ１は、第２透過率Ｔｒ２よりも高い。第１電圧期間Ｔ１は、透光状態ＴＳに対応する。第２電圧期間Ｔ２は、遮光状態ＣＳに対応する。
【００６９】
図１（ｄ）に表したように、この例では、第２シャッタ部１０２の透過率Ｔｒ０２は、第３電圧期間Ｔ３のときに第３透過率Ｔｒ３となる。第２シャッタ部１０２の透過率Ｔｒ０２は、第４電圧期間Ｔ４のときに第４透過率Ｔｒ４となる。第３透過率Ｔｒ３は、第４透過率Ｔｒ４よりも高い。第３電圧期間Ｔ３は、透光状態ＴＳに対応する。第４電圧期間Ｔ４は、遮光状態ＣＳに対応する。
【００７０】
このように、第１シャッタ部１０１と第２シャッタ部１０２とにおいて、交互に透光状態ＴＳと遮光状態ＣＳとが繰り返される。
【００７１】
第１〜第４電圧期間Ｔ１〜Ｔ４のそれぞれの長さは、例えば、１６．６ｍｓである。これにより、左眼及び右眼に対応した映像を、時分割で左眼及び右眼に提供できる。これにより、三次元の立体映像が知覚される。ただし、実施形態において、第１〜第４電圧期間Ｔ１〜Ｔ４のそれぞれの長さは、映像のちらつきが実質的に知覚されない条件であればこれに限らない。映像のちらつきの程度は、映像を観視する条件（映像の明るさや環境の明るさなど）にも依存する。
【００７２】
例えば、第１及び第２電圧期間Ｔ１及びＴ２（すなわち、第３及び第４電圧期間Ｔ３及びＴ４）のそれぞれの長さは、３０ｍｓ以下である。また、例えば、例えば、第１及び第２電圧期間Ｔ１及びＴ２（すなわち、第３及び第４電圧期間Ｔ３及びＴ４）のそれぞれの長さは、２０ｍｓ以下である。
【００７３】
実施形態に係るシャッタメガネ１２においては、第１制御期間ＴＴ１の間、第１電圧Ｖ１は第１極性である。シャッタ動作のそれぞれの期間（第１及び第２電圧期間Ｔ１及びＴ２）の長さよりも長い第１制御期間ＴＴ１において、単極性の第１電圧Ｖ１によって第１シャッタ部１０１が駆動される。
【００７４】
これにより、複数の第１電圧期間Ｔ１における第１シャッタ部１０１の透過率Ｔｒ０１（第１透過率Ｔｒ１）は、実質的に一定となる。
【００７５】
同様に、第３制御期間ＴＴ３の間、第３電圧Ｖ３は、第１極性である。シャッタ動作のそれぞれの期間（第３及び第４電圧期間Ｔ３及びＴ４）の長さよりも長い第３制御期間ＴＴ３において、単極性の第３電圧Ｖ３によって第２シャッタ部１０２が駆動される。
【００７６】
これにより、複数の第３電圧期間Ｔ３における第２シャッタ部１０２の透過率Ｔｒ０２（第３透過率Ｔｒ３）は、実質的に一定となる。
【００７７】
これにより、例えば、フリッカが抑制される。フリッカが抑制されることで、見易くなる。そして、疲労が少ない。このように、実施形態によれば、見易いシャッタメガネが提供される。
【００７８】
図６（ａ）〜図６（ｄ）は、参考例のシャッタメガネの動作を例示する模式図である。  参考例のシャッタメガネ１２ｘにおける第１シャッタ部１０１及び第２シャッタ部１０２の構成は、実施形態に係るシャッタメガネ１２における第１シャッタ部１０１及び第２シャッタ部１０２の構成と同様である。シャッタメガネ１２ｘにおいては、駆動部１０３の動作が、シャッタメガネ１２の駆動部１０３の動作とは異なる。
【００７９】
図６（ａ）は、駆動部１０３から第１シャッタ部１０１に供給される電圧Ｖｃ１を例示している。図６（ｂ）は、駆動部１０３から第２シャッタ部１０２に供給される電圧Ｖｃ２を例示している。図６（ｃ）は、第１シャッタ部１０１の透過率Ｔｒ０１を例示している。図６（ｄ）は、第２シャッタ部１０２の透過率Ｔｒ０２を例示している。これらの図の横軸は、時間ｔである。
【００８０】
図６（ａ）に表したように、参考例においては、駆動部１０３は、第２電圧期間Ｔ２を挟んで連続する複数の第１電圧期間Ｔ１において、第１電圧Ｖ１の極性を変更する。また、駆動部１０３は、第１電圧期間Ｔ１を挟んで連続する複数の第２電圧期間Ｔ２において、第２電圧Ｖ２の極性を変更する。
【００８１】
同様に、図６（ｂ）に表したように、参考例においては、駆動部１０３は、第４電圧期間Ｔ４を挟んで連続する複数の第３電圧期間Ｔ３において、第３電圧Ｖ３の極性を変更する。また、駆動部１０３は、第３電圧期間Ｔ３を挟んで連続する複数の第４電圧期間Ｔ４において、第４電圧Ｖ４の極性を変更する。
【００８２】
このように、参考例のシャッタメガネ１２ｘにおいては、第１電圧Ｖ１〜第４電圧Ｖ４として、正負が交互に繰り返される電圧が用いられる。
【００８３】
発明者の実験によると、このような正負を交互に繰り返す電圧を用いたときに、フリッカが生じやすいことが分かった。
【００８４】
すなわち、図６（ｃ）に例示したように、例えば、正極性の第１電圧Ｖ１を印加したときの透過率Ｔｒ０１は、負極性の第１電圧Ｖ１を印加したときの透過率Ｔｒ０１よりも低い。すなわち、透光状態ＴＳが、透過率が高い状態と、低い状態と、の２つの状態で交互に変化する。透過率Ｔｒ０１の変化の周期は、例えば、第１電圧期間Ｔ１の２倍となる。
【００８５】
図６（ｄ）に例示したように、例えば、正極性の第３電圧Ｖ３を印加したときの透過率Ｔｒ０２は、負極性の第３電圧Ｖ３を印加したときの透過率Ｔｒ０２よりも低い。透過率Ｔｒ０２の変化の周期は、例えば、第３電圧期間Ｔ３の２倍となる。
【００８６】
透過率Ｔｒ０１及び透過率Ｔｒ０２が、長い周期（第１電圧期間Ｔ１及び第３電圧期間Ｔ３の２倍）で変化するので、フリッカが知覚される。
【００８７】
このように、シャッタメガネにおいて、正負を交互に繰り返す電圧を用いたときに、フリッカが生じることは、従来指摘されていない。すなわち、この問題は、発明者の実験により見出された。
【００８８】
一般に、ディスプレイなどに液晶を用いた場合に、単極性の電圧を用いて駆動すると、「焼き付き」が生じる。例えば、ディスプレイにおいて、例えば第１画像を長時間表示した後に、第１画像とは異なる内容の第２画像を表示すると、第１画像の内容が薄く残る。このような「焼き付き」の発生を抑制するために、ディスプレイにおいては、正負を交互に繰り返す両極性の電圧が用いられる。しかし、両極性の電圧を用いた場合においても、液晶層中に存在するイオンの偏りにより、「焼き付き」は完全には無くならない場合もある。
【００８９】
液晶層中にイオンなどが存在する場合において、第１極性に対する光学応答性と、第２極性に対する光学応答と、が異なる場合が生じる。
【００９０】
ディスプレイにおいて、１つの画素に着目すると、極性によって光学応答が異なると、フリッカが生じると考えられる。しかしながら、１つの画素においてフリッカが生じていても、例えば、ディスプレイにおける複数の信号線に印加する電圧の極性を交互に変更することなどで、画面の全体としてのフリッカが抑制され、実用的には問題とはならない。
【００９１】
一方、シャッタメガネにおいては、第１シャッタ部１０１と第２シャッタ部１０２とは、それぞれ１つのスイッチング部（ディスプレイにおける１つの画素に相当する）を有している。このため、極性によって光学応答が異なることがフリッカに直結する。この問題は、発明者の検討により初めて見出された問題である。
【００９２】
発明者の検討によると、シャッタメガネにおいて、極性によって光学応答が異なりフリッカが発生することには、例えば、液晶層中のイオンなどが関係している。例えば、イオンの量を減らすことで、フリッカが改善する傾向がある。しかしながら、両極性の電圧を用いる場合においては、フリッカを実質的に感じられない状態にするのは、生産性などを考慮すると困難である。
【００９３】
実施形態においては、印加電圧として単極性の電圧を用いる。これにより、極性によって光学応答が異なりフリッカが発生することが実質的に発生しない。
【００９４】
すなわち、正負を交互に繰り返す電圧を用いる参考例においては、透光状態ＴＳが、透過率が高い状態と、低い状態と、の２つの状態で交互に変化するため、フリッカが生じる。これに対し、単極性の電圧を用いる実施形態においては、透光状態ＴＳが、透過率が高い状態と、低い状態と、のいずれかの状態だけになり、透光状態ＴＳは一定である。これにより、フリッカが抑制される。
【００９５】
図１（ａ）及び図１（ｂ）に表したように、この例では、遮光状態ＣＳに対応する第２電圧Ｖ２及び第４電圧Ｖ４は、第１制御期間ＴＴ１及び第３制御期間ＴＴ３において、単極性である。
【００９６】
この例では、第１制御期間ＴＴ１において、第２電圧Ｖ２は、第１極性を有する。ただし、実施形態はこれに限らない。すなわち、第１制御期間ＴＴ１において、第２電圧Ｖ２は、第１極性とは逆の第２極性を有しても良い。
【００９７】
ただし、実施形態はこれに限らない。後述するように、遮光状態ＣＳに対応する第２電圧Ｖ２及び第４電圧Ｖ４は両極性でも良い。
【００９８】
実施形態において、単極性にされる電圧は、透光状態ＴＳに対応する電圧であることが効果的である。すなわち、駆動部１０３が第１シャッタ部１０１に第１電圧Ｖ１を供給しているときに、第１シャッタ部１０１は透光状態ＴＳである。これにより、効果的にフリッカが抑制される。そして、さらに、遮光状態ＣＳに対応する電圧を単極性にしても良い。
【００９９】
図１（ａ）に表したように、第１制御期間ＴＴ１の後において、第１電圧Ｖ１の極性を反転することができる。
【０１００】
すなわち、駆動部１０３は、第１制御期間ＴＴ１の後に、第１電圧Ｖ１を供給する複数の第１電圧期間Ｔ１のうちで、第２電圧Ｖ２を供給する第２電圧期間Ｔ２を挟んで連続する複数の第１電圧期間Ｔ１において、第１電圧Ｖ１を第１極性とは逆の第２極性に設定する第２制御期間ＴＴ２を有する。
【０１０１】
すなわち、駆動部１０３は、第１制御期間ＴＴ１の後で、第１電圧Ｖ１を供給する複数の第１電圧期間Ｔ１と、第２電圧Ｖ２を供給する第２電圧期間Ｔ２と、を含む第２制御期間ＴＴ２において、第１極性とは逆の第２極性の第１電圧Ｖ１を第１シャッタ部１０１に供給する。
【０１０２】
これにより、過度に長い時間、単極性の電圧が第１液晶層１３０ａに印加されない。これにより、例えば信頼性が向上する。
【０１０３】
このとき、図１（ｃ）に例示したように、第２制御期間ＴＴ２における透過率Ｔｒ０１は、第１制御期間ＴＴ１における透過率Ｔｒ０１から変化するが、第１制御期間ＴＴ１及び第２制御期間ＴＴ２が長いので実質的には問題とならない。
【０１０４】
同様に、図１（ｂ）に表したように、第３制御期間ＴＴ３の後において、第３電圧Ｖ３の極性を反転することができる。
【０１０５】
すなわち、駆動部１０３は、第３制御期間ＴＴ３の後に、第３電圧Ｖ３を供給する複数の第３電圧期間Ｔ３のうちで、第４電圧Ｖ４を供給する第４電圧期間Ｔ４を挟んで連続する複数の第３電圧期間Ｔ３において、第３電圧Ｖ３を第１極性とは逆の第２極性に設定する第４制御期間ＴＴ４を有する。
【０１０６】
すなわち、駆動部１０３は、第３制御期間ＴＴ３の後で、第３電圧Ｖ３を供給する複数の第３電圧期間Ｔ３と、第４電圧Ｖ４を供給する第４電圧期間Ｔ４と、を含む第４制御期間ＴＴ４において、第１極性とは逆の第２極性の第３電圧Ｖ３を第２シャッタ部１０２に供給する。  
第４制御期間ＴＴ４は、第２制御期間ＴＴ２と同じでも良く、異なっても良い。
【０１０７】
第１電圧Ｖ１が単極性にされる期間（第１制御期間ＴＴ１）の長さは、フリッカが感じられない時間以上である。第１制御期間ＴＴ１の長さは、例えば１０秒以上である。
【０１０８】
第１電圧Ｖ１の極性を変更すると、第１電圧期間Ｔ１における透過率Ｔｒ１が変化する。この透過率Ｔｒ１の変化の間隔が、１０秒未満であると、ちらつきなどが知覚され、実用的に問題になる場合がある。第１制御期間ＴＴ１の長さが１０秒以上である場合に、透過率Ｔｒ１の変化が知覚され難くなる。
【０１０９】
第１制御期間ＴＴ１は、電源がオンされてからオフされるまでの時間とすることができる。シャッタメガネ１２を連続して使用される時間は、例えば３次元画像を観視する時間であり、数時間以下である。電源がオンされてからオフされるまでの時間とすることで、駆動の制御が簡単になり、駆動部１０３に含まれる回路が簡単になる。
【０１１０】
このように、第１制御期間ＴＴ１は、駆動部１０３がオン状態になってから駆動部がオフ状態になるまでの期間とすることができる。
【０１１１】
そして、次のオン状態になったときに第１電圧Ｖ１（及び第３電圧Ｖ３）の極性を反転させることができる。
【０１１２】
すなわち、第１制御期間ＴＴ１は、駆動部１０３がオン状態になってから駆動部１０３がオフ状態になるまでの期間である。そして、駆動部１０３は、この第１制御期間ＴＴ１の後で、駆動部１０３が別のオン状態になったときに、第１電圧Ｖ１を供給する複数の第１電圧期間Ｔ１のうちで、第２電圧Ｖ２を供給する第２電圧期間Ｔ２を挟んで連続する複数の第１電圧期間Ｔ１において、第１電圧Ｖ１を第１極性とは逆の第２極性に設定する第２制御期間ＴＴ２を有する。
【０１１３】
図７（ａ）〜図７（ｄ）は、第１の実施形態に係る別のシャッタメガネの動作を例示する模式図である。  
実施形態に係るシャッタメガネ１２ａにおいては、駆動部１０３の動作が、シャッタメガネ１２の駆動部１０３の動作とは異なる。
【０１１４】
図７（ａ）は、シャッタメガネ１２ａにおいて、駆動部１０３から第１シャッタ部１０１に供給される電圧Ｖｃ１を例示している。図７（ｂ）は、駆動部１０３から第２シャッタ部１０２に供給される電圧Ｖｃ２を例示している。図７（ｃ）は、第１シャッタ部１０１の透過率Ｔｒ０１を例示している。図７（ｄ）は、第２シャッタ部１０２の透過率Ｔｒ０２を例示している。これらの図の横軸は、時間ｔである。これらの図においては、第１制御期間ＴＴ１が例示されている。
【０１１５】
図７（ａ）に表したように、シャッタメガネ１２ａにおいては、第１電圧Ｖ１は単極性であるが、第２電圧Ｖ２は両極性である。そして、図７（ｂ）に表したように、第３電圧Ｖ３は単極性であるが、第４電圧Ｖ４は両極性である。
【０１１６】
すなわち、第１制御期間ＴＴ１において、駆動部１０３は、第２電圧Ｖ２を供給する複数の第２電圧期間Ｔ２のうちで、第１電圧Ｖ１を供給する第１電圧期間Ｔ１を挟んで連続する複数の第２電圧期間Ｔ２において、第２電圧Ｖ２の極性を変更する。
【０１１７】
第３制御期間ＴＴ３において、駆動部１０３は、第４電圧Ｖ４を供給する複数の第４電圧期間Ｔ４のうちで、第３電圧Ｖ３を供給する第３電圧期間Ｔ３を挟んで連続する複数の第４電圧期間Ｔ２において、第４電圧Ｖ４の極性を変更する。
【０１１８】
すなわち、遮光状態ＣＳに対応する第２電圧Ｖ２及び第４電圧Ｖ４のそれぞれの極性は、交互に正負を繰り返す。この場合、光学応答は、厳密には、第２電圧期間Ｔ２の２倍の周期（第４電圧期間Ｔ４の２倍の周期）で変化しているかもしれないが、遮光状態ＣＳなので実質的には、フリッカは知覚されない。  
このような構成においても、見易いシャッタメガネが提供できる。
【０１１９】
このように、実施形態においては、第１制御期間ＴＴ１において、透光状態ＴＳに対応する第１電圧Ｖ１が単極性とされる。そして、第３制御期間ＴＴ３において、透光状態ＴＳに対応する第３電圧Ｖ３が単極性とされる。
【０１２０】
単極性で駆動される第１電圧Ｖ１の実効値は、第２電圧Ｖ２の実効値よりも小さいことが望ましい。例えば、実効値が小さい第１電圧Ｖ１を単極性とし、実効値が大きい第２電圧Ｖ２を両極性とすることで、信頼性への影響を縮小することができる。また、例えば、実効値が小さい第１電圧Ｖ１を単極性とし、実効値が大きい第２電圧Ｖ２も単極性としても良い。これにより、駆動部１０３の回路構成が単純化される。
【０１２１】
図８（ａ）及び図８（ｂ）は、第１の実施形態に係る別のシャッタメガネの動作を例示する模式図である。  
実施形態に係るシャッタメガネ１２ｂにおいては、駆動部１０３の動作が、シャッタメガネ１２の駆動部１０３の動作とは異なる。
【０１２２】
図８（ａ）は、シャッタメガネ１２ｂにおいて、駆動部１０３から第１シャッタ部１０１に供給される電圧Ｖｃ１を例示している。図８（ｂ）は、駆動部１０３から第２シャッタ部１０２に供給される電圧Ｖｃ２を例示している。
【０１２３】
図８（ａ）に表したように、第１制御期間ＴＴ１の後に、第１電圧Ｖ１の極性とは逆の電圧（逆極性電圧Ｖｒ１）が印加される。すなわち、駆動部１０３は、第１制御期間ＴＴ１の後に、第１極性とは逆の第２極性の逆極性電圧Ｖｒ１を第１シャッタ部１０１に供給する。
【０１２４】
第１制御期間ＴＴ１においては、第１電圧Ｖ１が単極性であるため、第１液晶層１３０ａには、第１電圧Ｖ１に基づく電荷が蓄積される。電荷が蓄積される時間が過度に長いと、信頼性に悪影響を与える場合がある。これに対し、シャッタメガネ１２ｂにおいては、所定の長さの第１制御期間ＴＴ１の後に、第１電圧Ｖ１とは逆の第２極性の逆極性電圧Ｖｒ１を印加する。これにより、信頼性が向上する。
【０１２５】
同様に、図８（ｂ）に表したように、駆動部１０３は、第３制御期間ＴＴ３の後に、第３電圧Ｖ３の極性とは逆の逆極性電圧Ｖｒ２を第２シャッタ部１０２に供給する。これにより、信頼性が向上する。
【０１２６】
図９は、第１の実施形態に係る別のシャッタメガネの構成を例示する模式的斜視図である。  
図９においては、駆動部１０３は省略されている。図９に表したように、実施形態に係る別のシャッタメガネ１２ｃは、第１シャッタ部１０１、第２シャッタ部１０２及び駆動部１０３に加え、第１シャッタ部１０１と第２シャッタ部１０２とを連結する連結部３５５と、左耳用の左支持部３５１と、右耳用の右支持部３５２と、をさらに備えることができる。左支持部３５１は、左耳かけ部３５３を有し、右支持部３５２は、右耳かけ部３５４を有す。
【０１２７】
例えば、第１シャッタ部１０１が左眼に対応して配置され、第２シャッタ部１０２が右眼に対応して配置される。なお、第１シャッタ部１０１と第２シャッタ部１０２の配置は逆でも良い。
【０１２８】
また、第１シャッタ部１０１の第１基板部１１０ａの側に、第２シャッタ部１０２の第３基板部１１０ｂが配置されているが、第１基板部１１０ａの側に第４基板部１２０ｂが配置されても良い。
【０１２９】
本具体例では、第２基板部１２０ａが、第１基板部１１０ａよりも左耳かけ部３５３の側に配置され、第４基板部１２０ｂが、第３基板部１１０ｂよりも右耳かけ部３５４の側に配置されている。第１基板部１１０ａが、第２基板部１２０ａよりも左耳かけ部３５３の側に配置され、第３基板部１１０ｂが、第４基板部１２０ｂよりも右耳かけ部３５４の側に配置されても良い。
【０１３０】
図１０は、第１の実施形態に係る別のシャッタメガネの構成を例示する模式的斜視図である。  
図１０においては、駆動部１０３は省略されている。図１０に表したように、実施形態に係る別のシャッタメガネ１２ｄも、第１シャッタ部１０１と第２シャッタ部１０２とを備える。この例では、第１基板部１１０ａと第３基板部１１０ｂとが同一の支持基板４１１に設けられ、第２基板部１２０ａと第４基板部１２０ｂとが同一の別の支持基板４２１に設けられている。
【０１３１】
すなわち、支持基板４１１の一部に第１透明電極１１２ａが設けられる。支持基板４１１の別の一部に、第１透明電極１１２ａに並置して第３透明電極１１２ｂが設けられる。第１透明電極１１２ａが設けられる部分が第１基板部１１０ａとなる。第３透明電極１１２ｂが設けられる部分が第３基板部１１０ｂとなる。
【０１３２】
同様に、別の支持基板４２１の一部に第２透明電極１２２ａが設けられる。支持基板４２１の別の一部に、第２透明電極１２２ａに並置して第４透明電極１２２ｂが設けられる。第２透明電極１２２ａが設けられる部分が第２基板部１２０ａとなり、第４透明電極１２２ｂが設けられる部分が第４基板部１２０ｂとなる。
【０１３３】
このように、第１シャッタ部１０１と第２シャッタ部１０２とは、一体的に設けられても良い。
【０１３４】
第１基板部１１０ａと第２基板部１２０ａとは互いに入れ換えができる。第３基板部１１０ｂと第４基板部１２０ｂとは互いに入れ換えができる。
【０１３５】
このように、実施形態に係るシャッタメガネは、第１シャッタ部１０１と、第２シャッタ部１０２と、駆動部１０３と、装着部３６０（例えば左支持部３５１及び右支持部３５２）と、を備えることができる。装着部３６０は、第１シャッタ部１０１及び第２シャッタ部１０２の少なくともいずれかに連結され、使用者の頭部に装着され、第１シャッタ部１０１及び第２シャッタ部１０２を使用者の頭部に固定させる。なお、装着部３６０は、帯状でも良く、液晶シャッタはゴーグル状の形態でも良い。
【０１３６】
実施形態において、第１シャッタ部１０１及び第２シャッタ部１０２には、πセルを応用したＯＣＢモードを用いることが望ましい。これにより、高速応答が得られる。また、ネマティック液晶を用いることから信頼性が高い。
【０１３７】
本実施形態において、ディスプレイ１３は任意である。ディスプレイ１３として、例えば、ＯＣＢモードで動作するアクティブマトリクス型液晶ディスプレイが用いられる。ディスプレイ１３には、高速応答性を有するディスプレイ全般を用いることができる。例えば、ディスプレイ１３として、有機ＥＬディスプレイやプラズマディスプレイなどを用いても良い。
【０１３８】
（第２の実施形態）  
本実施形態は、第１透明電極１１２ａを有する第１基板部１１０ａと、第１透明電極１１２ａに対向する第２透明電極１２２ａを有する第２基板部１２０ａと、第１透明電極１１２ａと第２透明電極１２２ａとの間に設けられた第１液晶層１３０ａと、を含む第１シャッタ部１０１を含むシャッタメガネの駆動方法である。
【０１３９】
本駆動方法は、第１シャッタ部１０１を、透光状態ＴＳと、透光状態ＴＳの透過率よりも透過率が低い遮光状態ＣＳと、のいずれか一方にさせる第１電圧Ｖ１と、第１シャッタ部１０１を、透光状態ＴＳ及び遮光状態ＣＳのいずれか他方にさせる第２電圧Ｖ２と、を第１シャッタ部１０１に交互に供給することを含む。
【０１４０】
本駆動方法は、第１電圧Ｖ１を供給する複数の第１電圧期間Ｔ１と、第２電圧Ｖ２を供給する第２電圧期間Ｔ２と、を含む第１制御期間ＴＴ１において、第１極性の第１電圧Ｖ１を第１シャッタ部１０１に供給する。  
これにより、見易くシャッタメガネを駆動できる。
【０１４１】
実施形態によれば、見易いシャッタメガネ及びその駆動方法が提供される。
【０１４２】
以上、具体例を参照しつつ、本発明の実施の形態について説明した。しかし、本発明の実施形態は、これらの具体例に限定されるものではない。例えば、シャッタメガネに含まれる基板部、透明電極、支持基板、配向膜、液晶層及び駆動部などの各要素の具体的な構成に関しては、当業者が公知の範囲から適宜選択することにより本発明を同様に実施し、同様の効果を得ることができる限り、本発明の範囲に包含される。
【０１４３】
また、各具体例のいずれか２つ以上の要素を技術的に可能な範囲で組み合わせたものも、本発明の要旨を包含する限り本発明の範囲に含まれる。
【０１４４】
その他、本発明の実施の形態として上述したシャッタメガネ及びその駆動方法を基にして、当業者が適宜設計変更して実施し得る全てのシャッタメガネ及びその駆動方法も、本発明の要旨を包含する限り、本発明の範囲に属する。
【０１４５】
その他、本発明の思想の範疇において、当業者であれば、各種の変更例及び修正例に想到し得るものであり、それら変更例及び修正例についても本発明の範囲に属するものと了解される。
【０１４６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１４７】
１１…表示システム、  １２、１２ａ、１２ｂ、１２ｃ、１２ｄ、１２ｘ…シャッタメガネ、  １３…ディスプレイ、  １３ｄ…表示面、  １４…制御部、  １０１…第１シャッタ部、  １０２…第２シャッタ部、  １０３…駆動部、  １１０ａ…第１基板部、  １１０ｂ…第３基板部、  １１１ａ…第１支持基板、  １１２ａ…第１透明電極、  １１２ｂ…第３透明電極、  １１３ａ…第１配向膜、  １２０ａ…第２基板部、  １２０ｂ…第４基板部、  １２１ａ…第２支持基板、  １２２ａ…第２透明電極、  １２２ｂ…第４透明電極、  １２３ａ…第２配向膜、  １３０ａ…第１液晶層、  １３０ｂ…第２液晶層、  １３０ｌ…液晶分子、  １４０ａ…第１光学補償板、  １５０ａ…第２光学補償板、  １６０ａ…第１偏光板、  １７０ａ…第２偏光板、  １８０ａ…第１シール部、  ３５１…左支持部、  ３５２…右支持部、  ３５３…左耳かけ部、  ３５４…右耳かけ部、  ３５５…連結部、  ３６０…装着部、  ４１１、４２１…支持基板、  ＣＳ…遮光状態、  Ｔ１〜Ｔ４…第１〜第４電圧期間、  ＴＳ…透光状態、  ＴＴ１〜ＴＴ４…第１〜第４制御期間、  Ｔｒ０１、Ｔｒ０２…透過率、  Ｔｒ１〜Ｔｒ４…透過率、  Ｖ１〜Ｖ４…第１〜第４電圧、  Ｖ１１、Ｖ１２…第１、第２初期電圧、  ＶＢ１、ＶＢ２…第１、第２ベンド電圧、  Ｖｃ１、Ｖｃ２…電圧、  Ｖｒ１、Ｖｒ２…逆極性電圧、  ｔ…時間
【図１】
0005608112.tif 000002
【図２】
0005608112.tif 000003
【図３】
0005608112.tif 000004
【図４】
0005608112.tif 000005
【図５】
0005608112.tif 000006
【図６】
0005608112.tif 000007
【図７】
0005608112.tif 000008
【図８】
0005608112.tif 000009
【図９】
0005608112.tif 000010
【図１０】
0005608112.tif 000011